(57)【要約】【課題】キャップ装置における開閉操作を、より行い易くする。【解決手段】キャップ本体１に形成された容器Ｂの内容物の送出部１０を閉塞する伏倒位置とこの送出部１０を開放する起立位置との間に亘る回動可能にキャップ本体１に組み合わされた蓋体２と、キャップ本体１に回動可能に組み合わされると共にこの回動の中心軸３３を挟んだ両側にキャップ本体１の上面部１２と一緒になってキャップ装置Ｃの上面部Ｃａを構成する押圧操作部３０を有したボタン体３とを備える。ボタン体３と蓋体２とが、第一連係部２３及びこの第一連係部２３を上下に挟むように納める第二連係部３２のいずれか一方をボタン体３側に、これらの他方を蓋体２側に備えさせることで、ボタン体３の中心軸３３を挟んだ一方側にある押圧操作部３０の押圧により伏倒位置にある蓋体２が起立位置に向けて回動されるように、組み合わされている。【選択図】図４
2012041081.tif 000002
【特許請求の範囲】
【請求項１】
容器の開口部に取り付けられて、この開口部を閉塞するキャップ装置であって、
キャップ本体に形成された前記容器の内容物の送出部を閉塞する伏倒位置とこの送出部を開放する起立位置との間に亘る回動可能に、このキャップ本体に組み合わされた蓋体と、
キャップ本体に回動可能に組み合わされると共に、この回動の中心軸を挟んだ両側にキャップ本体の上面部と一緒になってキャップ装置の上面部を構成する押圧操作部を有したボタン体とを備えており、
このボタン体と蓋体とが、第一連係部及びこの第一連係部を上下に挟むように納める第二連係部のいずれか一方をボタン体側に、これらの他方を蓋体側に備えさせることで、ボタン体の前記中心軸を挟んだ一方側にある押圧操作部の押圧により伏倒位置にある蓋体が起立位置に向けて回動されるように、組み合わされていることを特徴とするキャップ装置。
【請求項２】
ボタン体のその回動の中心軸を挟んだ一方側が送出部側に位置されると共に、このボタン体の中心軸を挟んだ他方側にキャップ本体の側面部と一緒になってキャップ装置の側面部を構成する追加押圧操作部が備えられていることを特徴とする請求項１に記載のキャップ装置。
【請求項３】
ボタン体のその回動の中心軸を挟んだ一方側の端部とこの中心軸までの距離が、この中心軸を挟んだ他方側の端部とこの中心軸までの距離よりも、長くなるようにしてあることを特徴とする請求項１又は請求項２に記載のキャップ装置。
【請求項４】
送出部がキャップ本体の側面部に形成されていることを特徴とする請求項１〜請求項３のいずれか１項に記載のキャップ装置。
【請求項５】
キャップ本体及びボタン体のいずれか一方の側にボタン体の所定の回動位置で、これらの他方に形成された凹所に抜き出し可能に入り込む凸所を形成させてなることを特徴とする請求項１〜請求項４のいずれか１項に記載のキャップ装置。
【発明の詳細な説明】
【技術分野】
【０００１】
この発明は、各種の容器の開口部に取り付けられて、この開口部を、この容器の内容物の必要に応じた外部への振り出しや、注ぎ出しなどを可能とした状態で、閉塞するキャップ装置の改良に関する。
【背景技術】
【０００２】
キャップ本体の上部に設けた吐出口を、このキャップ本体に回動可能に組み合わされた蓋で開閉可能に閉塞すると共に、キャップ本体の上部と側部との間の隅部においてこのキャップ本体に回動可能に組み合わされたボタンを備え、ボタンの上部をキャップ本体内に押し込むことで蓋を開き、このときキャップ本体の側部から突き出したボタンの下部をこの側部と面一となる位置まで押し込むことで開いた蓋を閉じるようにしたキャップがある。（特許文献１参照）このキャップでは、蓋を開くときはキャップの上部を押し、蓋を閉じるときはキャップの側部を押すこととなる。
【先行技術文献】
【特許文献】
【０００３】
【特許文献１】特開平１１−２４０５４９号公報
【発明の概要】
【発明が解決しようとする課題】
【０００４】
この発明が解決しようとする主たる問題点は、この種のキャップ装置における開閉操作を、より行い易くして、その使い勝手を向上させる点にある。
【課題を解決するための手段】
【０００５】
前記課題を達成するために、この発明にあっては、キャップ装置を、容器の開口部に取り付けられて、この開口部を閉塞するキャップ装置であって、
キャップ本体に形成された前記容器の内容物の送出部を閉塞する伏倒位置とこの送出部を開放する起立位置との間に亘る回動可能に、このキャップ本体に組み合わされた蓋体と、
キャップ本体に回動可能に組み合わされると共に、この回動の中心軸を挟んだ両側にキャップ本体の上面部と一緒になってキャップ装置の上面部を構成する押圧操作部を有したボタン体とを備えており、
このボタン体と蓋体とが、第一連係部及びこの第一連係部を上下に挟むように納める第二連係部のいずれか一方をボタン体側に、これらの他方を蓋体側に備えさせることで、ボタン体の前記中心軸を挟んだ一方側にある押圧操作部の押圧により伏倒位置にある蓋体が起立位置に向けて回動されるように、組み合わされているものとした。
【０００６】
ボタン体における前記中心軸を挟んだ一方側にある押圧操作部を押圧してボタン体を往動させると、前記第一連係部と第二連係部とを通じた前記組み合わせにより、伏倒位置にある蓋体を起立位置に向けて回動させて送出部を開放させることができる。この開放状態から、容器をその開口部を下にするように傾けこれを振るなどすることでその内容物は送出部から外部に送り出される。この開放状態から、ボタン体における前記中心軸を挟んだ他方側を押圧してボタン体を復動させると、前記第一連係部と第二連係部とを通じた前記組み合わせにより、起立位置にある蓋体は伏倒位置に向けて回動され送出部を再び閉塞することができる。すなわち、かかるキャップ装置にあっては、送出部の開放のみならず閉塞も、キャップ装置の上面部を構成するボタン体の押圧操作部の押圧操作によりなすことができる。
【０００７】
前記ボタン体のその回動の中心軸を挟んだ一方側が送出部側に位置されると共に、このボタン体の中心軸を挟んだ他方側にキャップ本体の側面部と一緒になってキャップ装置の側面部を構成する追加押圧操作部を備えさせておくこともある。このようにした場合、蓋体が起立位置にある状態からこの追加押圧操作部を押圧操作してもボタン体を前記のように復動させてかかる蓋体を伏倒位置に回動させることができる。
【０００８】
前記ボタン体のその回動の中心軸を挟んだ一方側の端部とこの中心軸までの距離が、この中心軸を挟んだ他方側の端部とこの中心軸までの距離よりも、長くなるようにしておけば、ボタン体を前記往動、つまり、蓋体を起立位置に向けて回動させる際に押圧するボタン体の押圧操作部の面積をできるだけ大きく確保すると共に、この押圧に過大な力を必要としないようにすることができる。
【０００９】
前記送出部をキャップ本体の側面部に形成させるようにしておけば、この送出部がキャップ本体の上面部に設けられている場合に比べ、蓋体を起立位置に位置づけてこの送出部を開放させた状態から容器をその開口部を下するように大きく傾けなくても容器の内容物を外部に送り出すことができる。
【００１０】
前記キャップ本体及びボタン体のいずれか一方の側にボタン体の所定の回動位置で、これらの他方に形成された凹所に抜き出し可能に入り込む凸所を形成させるようにしておけば、所定の回動位置に回動されたボタン体が簡単には他の位置に向けて移動しないようにすることができると共に、蓋体が予定している一つの動作完了位置、例えば前記起立位置に達したことを使用者に明確に認識させることができる。
【発明の効果】
【００１１】
この発明によれば、キャップ装置により開口部を閉塞される容器の内容物の送出部の開放のみならず閉塞も、キャップ装置の上面部を構成するボタン体の押圧操作部の押圧操作によりなすことができ、キャップ装置における開閉操作を片手で容易に行うことができる。
【図面の簡単な説明】
【００１２】
【図１】図１はキャップ装置を構成する各部材を分離した状態で示した斜視図である。
【図２】図２はキャップ装置を容器に装着させた状態を示した斜視図であり、蓋体は伏倒位置にある。
【図３】図３はキャップ装置を容器に装着させた状態を、図２と異なる向きから見て示した斜視図であり、蓋体は伏倒位置にある。
【図４】図４はキャップ装置を容器に装着させた状態を、容器及びキャップ本体を断面にし、蓋体及びボタン体を断面にしないで示した側面構成図であり、蓋体は伏倒位置にある。
【図５】図５はキャップ装置を容器に装着させた状態を示した斜視図であり、蓋体は起立位置にある。
【図６】図６はキャップ装置を容器に装着させた状態を、図５と異なる向きから見て示した斜視図であり、蓋体は起立位置にある。
【図７】図７はキャップ装置を容器に装着させた状態を、容器及びキャップ本体を断面にし、蓋体及びボタン体を断面にしないで示した側面構成図であり、蓋体は起立位置にある。
【図８】図８はキャップ装置の要部構成を変更させた例を示した要部断面図である。
【発明を実施するための形態】
【００１３】
以下、図１〜図８に基づいて、この発明の典型的な実施の形態について、説明する。この実施の形態にかかるキャップ装置Ｃは、各種の容器Ｂの開口部Ｂａに取り付けられて、この開口部Ｂａを、この容器Ｂの内容物の必要に応じた外部への振り出しや、注ぎ出しなどを可能とした状態で、閉塞するものである。
【００１４】
かかるキャップ装置Ｃは、キャップ本体１と、蓋体２と、ボタン体３とを備えてなる。キャップ本体１には前記内容物の送出部１０が形成され、蓋体２はこの送出部１０を閉塞する伏倒位置（図２〜４）とこれを開放する起立位置（図５〜７）との間に亘る回動可能にこのキャップ本体１に組み合わされている。ボタン体３は回動前位置（図２〜４における位置）からの回動可能にキャップ本体１に組み合わされている。そして、かかるキャップ装置Ｃにあっては、ボタン体３が回動前位置にある状態において蓋体２が前記伏倒位置に位置づけられ、従って容器Ｂの内容物の外部への振り出しなどを不能とする状態が確保されると共に、回動前位置にあるボタン体３を、このボタン体３におけるその回動の中心軸３３を挟んだ一方側をキャップ本体１の内方に入り込ませる向きに回動させることにより、蓋体２を前記起立位置に向けて回動させて容器Ｂの内容物を外部に振り出しなど可能とする状態が作出されるようになっている。
【００１５】
この実施の形態にあっては、キャップ本体１は、前記蓋体２及びボタン体３と組み合わされて、この蓋体２が前記伏倒位置にあり、かつ、ボタン体３が前記回動前位置にあるときに筒上端を閉塞させ筒下端を開放させた略円筒状の外観を呈するようになっている。
【００１６】
キャップ本体１は、下部を開放させている。キャップ本体１は、この下部からその筒軸方向略中程の位置までの内周部に雌ネジ部１１を有している。かかるキャップ本体１は、開口部Ｂａの外周部に雄ネジ部Ｂｂを備えた容器Ｂのこの開口部Ｂａに前記雌ネジ部１１をネジつけることでこの開口部Ｂａに被装されるようになっている。容器Ｂの内容物は容器Ｂの開口部Ｂａを下側に位置させるようにするとキャップ本体１内に入り込み、蓋体２による送出部１０の閉塞状態が解除されている場合、この送出部１０から外部に送り出されるようになっている。
【００１７】
キャップ本体１におけるこの雌ネジ部１１の形成位置と上面部１２との間は、隔壁１３によって上下に二分されている。
【００１８】
キャップ本体１における隔壁１３より上方では、その中心を挟んだ左右両側に側壁１４を形成させるようにした上方開放部１５が形成されている。また、この隔壁１３より上方では、キャップ本体１の後側１ｂは上方開放部１５に連続した側方開放部１６となっている。また、この側方開放部１６に対向するキャップ本体１の前側１ａにはキャップ本体１の内外を連通させる複数の貫通穴１０ａ、１０ａ…が形成されている。この実施の形態にあっては、かかる貫通穴１０ａによりキャップ本体１の側面部１８に前記送出部１０を形成させている。また、この実施の形態にあっては、隔壁１３は、キャップ本体１の前側１ａにおいて、キャップ本体１の上面部１２からの距離を小さくしており、キャップ本体１の隔壁１３より上方は、浅い箇所１ｃと、深い箇所１ｄと、両者間に形成される段差箇所１ｅとを有するようになっている。（図７）この浅い箇所１ｃの下方に前記送出部１０が位置されている。
【００１９】
蓋体２は、キャップ本体１の前記浅い箇所１ｃにおいて、前記上方開放部１５を塞ぐ上板部２０と、この上板部２０の前縁部から垂下して、蓋体２の伏倒位置において前記送出部１０を閉塞する側板部２１とを有している。上板部２０の前縁部及び側板部２１はキャップ本体１の側面部１８の湾曲に倣って湾曲されている。上板部２０の後縁部には、その左右にそれぞれ軸突起２２が形成されている。蓋体２は、キャップ本体１の左右の側壁１４における前記浅い箇所１ｃに臨んだ箇所の壁上側にそれぞれ形成された軸穴１４ａに対応する軸突起２２を納め入れることで、キャップ本体１に前記のように組み合わされている。蓋体２が伏倒位置にある状態において蓋体２の上板部２０はキャップ本体１の上面部１２に同面をなすように連なりキャップ装置Ｃの上面部Ｃａを構成するようになっている。蓋体２の上板部２０の下方には後述する第一連係部２３が形成されている。この第一連係部２３は、上板部２０から下方に突き出す基部２３ａから後方に向けて突き出すと共に、その突きだし端を上板部２０の後縁部より後方に位置させており、板状を呈している。
【００２０】
ボタン体３は、前記蓋体２とは異なる位置においてキャップ本体１に回動可能に組み合わされると共に、この回動の中心軸３３を挟んだ両側にキャップ本体１の上面部１２と一緒になってキャップ装置Ｃの上面部Ｃａを構成する押圧操作部３０を有している。
【００２１】
この実施の形態にあっては、かかるボタン体３は、キャップ本体１の前記深い箇所１ｄにおいて前記上方開放部１５を塞ぐ板状をなす押圧操作部３０と、この押圧操作部３０の後縁部から垂下してこの押圧操作部３０がキャップ本体１の上面部１２に同面をなすように連なったボタン体３の回動前位置において前記側方開放部１６を閉塞する追加押圧操作部３１とを有している。押圧操作部３０の後縁部及び追加押圧操作部３１はキャップ本体１の側面部１８の湾曲に倣って湾曲されている。押圧操作部３０の上面におけるキャップ本体１の中心に位置される箇所には円形の窪み３０ａが形成されている。押圧操作部３０におけるキャップ本体１の中央側に位置される箇所はキャップ本体１の中心を円心とする仮想の円の円弧に沿うように形成された幅広部３０ｂとなっている。押圧操作部３０におけるこの幅広部３０ｂの後方は幅狭部３０ｃとなっており、追加押圧操作部３１はこの幅狭部３０ｃに連続している。
【００２２】
ボタン体３における幅広部３０ｂと幅狭部３０ｃとが接し合う箇所には、その左右にそれぞれ軸突起３０ｄが形成されている。ボタン体３は、キャップ本体１の左右の側壁１４、１４におけるキャップ本体１の中心より側方開放部１６側に偏った位置において、その壁上側にそれぞれ形成された軸穴１４ｂに対応する軸突起３０ｄを納め入れることで、キャップ本体１に前記のように組み合わされている。すなわち、ボタン体３はその回動の中心軸３３を挟んだ一方側を前記送出部１０側に位置されると共に、この中心軸３３を挟んだ他方側にキャップ本体１の側面部１８と一緒になってキャップ装置Ｃの側面部を構成する追加押圧操作部３１を備えている。このボタン体３の回動の中心軸３３は蓋体２の回動の中心軸と平行をなしている。
【００２３】
そして、この実施の形態にあっては、かかるボタン体３と前記蓋体２とが、蓋体２に備えられた第一連係部２３を、上下に挟むように納める第二連係部３２をボタン体３側に備えさせることで、ボタン体３の前記中心軸３３を挟んだ一方側、図示の例では送出部１０側にある押圧操作部３０の押圧により伏倒位置にある蓋体２が起立位置に向けて回動されるように、組み合わされている。
図示の例では、押圧操作部３０の前縁部３０ｅの下方には第二連係部３２が形成されている。この第二連係部３２は、押圧操作部３０の前縁部３０ｅ側に、この押圧操作部３０から下方に突き出す基部３２ｂより前方に向けて突き出すと共に、その突きだし端を押圧操作部３０の前縁部３０ｅの略直下に位置させて、押圧操作部３０との間に第一連係部２３を納める空間を形成させる舌片部３２ａを設けることで形成されている。
【００２４】
ボタン体３が回動前位置にある状態において、押圧操作部３０の前縁部３０ｅ及び舌片部３２ａの突きだし端は前記段差箇所１ｅの直上に位置し、伏倒位置にある蓋体２の第一連係部２３が両者の間、つまり、前記第二連係部３２に挟み込み状に納まるようになっている。（図４）このとき、ボタン体３の追加押圧操作部３１の下端は側方開放部１６の下縁１６ａに突き当たり、蓋体２の側板部２１の下縁もキャップ本体１の外周において送出部１０の下方に形成された段差部１７に突き当たり、ボタン体３の姿勢は保持され、蓋体２の伏倒位置にある状態は安定的に維持される。（図４）
【００２５】
ボタン体３における前記中心軸３３を挟んだ一方側、図示の例では送出部１０側にある押圧操作部３０を押圧してボタン体３を往動させると、具体的には、ボタン体３の送出部１０側に位置される箇所をキャップ本体１内に入り込ませ、かつ、側方開放部１６側に位置される箇所、つまり、追加押圧操作部３１をキャップ本体１内から抜け出させるようにボタン体３を往動させると、前記第一連係部２３と第二連係部３２とを通じた前記組み合わせにより、伏倒位置にある蓋体２を起立位置に向けて回動させて送出部１０を開放させることができる。（図５〜７）この開放状態から、容器Ｂをその開口部Ｂａを下にするように傾けこれを振るなどすることでその内容物は送出部１０から外部に送り出される。この開放状態から、ボタン体３における前記中心軸３３を挟んだ他方側、図示の例では側方開放部１６側にある押圧操作部３０を押圧してボタン体３を復動させると、前記第一連係部２３と第二連係部３２とを通じた前記組み合わせにより、起立位置にある蓋体２は伏倒位置に向けて回動され送出部１０を閉塞される。（図４）すなわち、この実施の形態にかかるキャップ装置Ｃにあっては、送出部１０の開放のみならず閉塞も、キャップ装置Ｃの上面部Ｃａを構成するボタン体３の押圧操作部３０の押圧操作によりなすことができる。
【００２６】
図示の例とは逆に、ボタン体３の側に第一連係部２３を設け、蓋体２の側に第二連係部３２を設けるようにしても、ボタン体３の前記中心軸を挟んだ一方側にある押圧操作部３０の押圧により伏倒位置にある蓋体２が起立位置に向けて回動されるように、ボタン体３と蓋体２とを組み合わせることができる。
【００２７】
この実施の形態にあっては、ボタン体３に前記追加押圧操作部３１が備えられていることから、蓋体２が起立位置にある状態においてキャップ装置Ｃの側面部よりも外方に突き出されたこの追加押圧操作部３１（図５〜図７）を押圧操作してもボタン体３を前記のように復動させてかかる蓋体２を伏倒位置に回動させることができるようになっている。
【００２８】
また、この実施の形態にあっては、ボタン体３のその回動の中心軸３３を挟んだ一方側、すなわち、送出部１０側の端部３ａとこの中心軸３３までの距離が、この中心軸３３を挟んだ他方側、すなわち、側方開放部１６側の端部３ｂとこの中心軸３３までの距離よりも、長くなるようにしてある。これにより、この実施の形態にあっては、ボタン体３を前記往動、つまり、蓋体２を起立位置に向けて回動させる際に押圧するボタン体３の押圧操作部３０の面積をできるだけ大きく確保すると共に、この押圧に過大な力を必要としないようにしている。
【００２９】
また、この実施の形態にあっては、前記送出部１０がキャップ本体１の側面部１８に形成されていることから、この送出部１０がキャップ本体１の上面部１２に設けられている場合に比べ、蓋体２を起立位置に位置づけてこの送出部１０を開放させた状態から容器Ｂをその開口部Ｂａを下にするように大きく傾けなくても容器Ｂの内容物を外部に送り出せるようになっている。
【００３０】
図８は、キャップ本体１及びボタン体３のいずれか一方の側にボタン体３の所定の回動位置で、これらの他方に形成された凹所に抜き出し可能に入り込む凸所を形成させた例を示している。この例では、ボタン体３の押圧操作部３０の幅広部３０ｂの側縁部に、キャップ本体１の側壁１４に形成させた凹所１４ｃにボタン体３を往動させきった位置で入り込む凸所３０ｆを形成させている。このようにしておけば、所定の回動位置に回動されたボタン体３が簡単には他の位置に向けて移動しないようにすることができると共に、蓋体２が予定している一つの動作完了位置、例えば前記起立位置に達したことを使用者に明確に認識させることができる。この凹所１４ｃへの凸所３０ｆの入り込み及び抜き出しは、これらのいずれか一方の側、あるいは双方の側をやや弾性変形させることで実現させることができる。
【符号の説明】
【００３１】
１  キャップ本体
１０  送出部
１２  上面部
２  蓋体
２３  第一連係部
３  ボタン体
３２  第二連係部
３３  中心軸
Ｃ  キャップ装置
Ｃａ  上面部
【図１】
2012041081.tif 000003
【図２】
2012041081.tif 000004
【図３】
2012041081.tif 000005
【図４】
2012041081.tif 000006
【図５】
2012041081.tif 000007
【図６】
2012041081.tif 000008
【図７】
2012041081.tif 000009
【図８】
2012041081.tif 000010